(57)【要約】【課題】鋏を閉じる方向に動かすと、刃の接触圧が増加して頭髪を確実に切断することができる鋏の枢軸構造を提供する。【解決手段】枢軸２１は、頭部２１ａと、矩形部２１ｂと、頭部２１ａと矩形部２１ｂとの間に形成される大径のネジ部２１ｃを備え、第１の刃体２２は、基部に矩形孔２２ａを有し、前記枢軸２１の矩形部２１ｂが嵌挿されることによって枢軸２１と第１の刃体２２とが回転不可で一体となって回転する。第２の刃体２４は、基部にフランジ２５ａを備えたブッシュ２５が捩じ込んで固着され、ブッシュ２５には前記枢軸２１のネジ部２１ｃが捩じ込んで回転自在に螺着される。第２の刃体２４を回動すると、ネジ部２１ｃに捩じ込まれて第２の刃体２４が第１の刃体２２に押し込まれる。【選択図】図６
2012152488.tif 000002
【特許請求の範囲】
【請求項１】
第１及び第２の刃体を基部において枢軸により回動自在に軸着した鋏の上記枢軸を含む枢軸構造であって、上記枢軸は前記第１の刃体とは回転不可に連結される一方、第２の刃体とは回動自在に螺着され、鋏を閉じる方向に第２の刃体を回動させると、該第２の刃体が枢軸に捩じ込まれ、該第２の刃体が第１の刃体側に寄せられることを特徴とする鋏の枢軸構造。
【請求項２】
前記枢軸は、軸方向の一部にネジ部と矩形部を備え、前記第１の刃体は、前記矩形部に嵌挿されて回転不可に連結される一方、前記第２の刃体とはネジ部において回動自在に螺着されることを特徴とする請求項１記載の鋏の枢軸構造。
【請求項３】
前記第１の刃体は枢軸の周りの第２の刃体との対向面に座ぐりによる凹溝が形成される一方、第２の刃体にはブッシュが固着され、該ブッシュは第２の刃体より突出して第１の刃体の凹溝内に納まると共に、内周にネジが刻設されて枢軸のネジ部に回転自在に螺着されることを特徴とする請求項２記載の鋏の枢軸構造。
【発明の詳細な説明】
【技術分野】
【０００１】
本発明は、理容院や美容院で用いられる理髪用鋏、洋裁用の鋏その他一般の鋏において、刃体を開閉可能に軸着する枢軸構造に関する。
【背景技術】
【０００２】
図１は、鋏のうち、理髪用鋏について示すもので、指環部１、２を備えた刃体３、４を基部において枢軸５により回動自在に軸着して枢軸端に捩じ込んだナット６により止着した構成を有しており、両刃体３、４の刃が互いに接触した状態で基部間には隙間を存している。そして枢軸５は図２に示すように矩形部５ａを備えた段付状をなし、矩形部５ａが嵌合する刃体４と回転不可で、一体となって回転し、円形断面の大径部５ｂが嵌合する刃体３とは回動自在で、刃体３は枢軸５に対し、自由に回動できるようになっている。こうした構造の理髪用鋏の一例が特許文献１に開示されている。
【先行技術文献】
【特許文献】
【０００３】
【特許文献１】特開２００７−３２５６９０
【発明の概要】
【発明が解決しようとする課題】
【０００４】
鋏の技術的課題の一つに切れ味を向上させることがある。
本発明は、かかる技術的課題を解決することができる鋏の枢軸構造を提供することを目的とする。
【課題を解決するための手段】
【０００５】
請求項１に係わる発明は、第１及び第２の刃体を基部において枢軸により回動自在に軸着した鋏の上記枢軸を含む枢軸構造であって、枢軸は前記第１の刃体とは回転不可に連結される一方、第２の刃体とは回動自在に螺着され、鋏を閉じる方向に第２の刃体を回動させると、該第２の刃体が枢軸に捩じ込まれ、該第２の刃体が第１の刃体側に寄せられることを特徴とし、
請求項２に係わる発明は、請求項１に係わる発明において、前記枢軸は、軸方向の一部にネジ部と矩形部を備え、前記第１の刃体は、前記矩形部に嵌挿されて回転不可に連結される一方、前記第２の刃体とはネジ部において回動自在に螺着されることを特徴とする。
【０００６】
請求項３に係わる発明は、請求項２に係わる発明において、第１の刃体は枢軸の周りの第２の刃体との対向面に座ぐりによる凹溝が形成される一方、第２の刃体にはブッシュが固着され、該ブッシュは第２の刃体より突出して第１の刃体の凹溝内に納まると共に、内周にネジが刻設されて枢軸のネジ部に回転自在に螺着されることを特徴とする。
【発明の効果】
【０００７】
請求項１に係わる発明によると、鋏を閉じる方向に第２の刃体を回動すると、ネジ部に捩じ込まれて第２の刃体が第１の刃体側に寄り、両刃体の刃同士が接触する接触圧が高まって切れ味が向上する。
【０００８】
請求項２に係わる発明によると、第１の刃体は枢軸の矩形部に嵌挿するだけで、回転不可に連結することができ、組付けを容易に行うことができる。
【０００９】
請求項３に係わる発明によると、第２の刃体より肉厚の大きなブッシュによって枢軸のネジ部との螺着面積（軸方向の螺着長さ）が増加し、鋏開閉時の基部間の離接が安定して確実に行えるようになると共に、ブッシュを摩擦係数の小さな材質としたり、オイルレスな材質として摺動性を向上させることにより鋏のスムースな開閉が行えるようになる。
【図面の簡単な説明】
【００１０】
【図１】理髪用鋏の正面図。
【図２】従来の枢軸構造の断面図。
【図３】本発明に係わる枢軸構造の断面図。
【図４】鋏を閉じたときの図３に示す枢軸構造の断面図。
【図５】別の実施形態の枢軸構造の断面図。
【図６】更に別の実施形態の枢軸構造の断面図。
【図７】更に別の実施形態の枢軸構造の断面図。
【図８】更に別の実施形態の枢軸構造の断面図。
【図９】他の実施形態の枢軸構造の断面図。
【発明を実施するための形態】
【００１１】
以下、本発明の実施形態の枢軸構造について図面により説明する。
図３は、図１に示すような理髪用鋏の枢軸構造を示すもので、枢軸１１が頭部１１ａと、横断面正方形の矩形部１１ｂと、頭部１１ａと矩形部１１ｂとの間に形成される大径のネジ部１１ｃと、矩形部１１ｂより突出する先端側の小径のネジ部１１ｄとよりなっている。
【００１２】
理髪用鋏を構成する第１の刃体１２は、基部に前記矩形部１１ｂと同形同大の矩形孔１２ａを有し、該孔１２ａに前記枢軸１１の矩形部１１ｂが嵌挿されることによって枢軸１１と第１の刃体１２とが回転不可で一体となって回転するようになっている。
【００１３】
第１の刃体１２と共に理髪用鋏を構成する第２の刃体１３は、基部に形成されるネジ孔１３ａに前記枢軸１１のネジ部１１ｃが捩じ込まれて回動自在に螺着されている。図中、１４は第１の刃体１２より突出する枢軸１１のネジ部１１ｄに捩じ込まれるナットである。
【００１４】
本実施形態の理髪用鋏の枢軸構造は以上のように構成され、枢軸１１による第１及び第２の刃体１２及び１３の組付けは、第２の刃体１３のネジ孔１３ａに枢軸１１を先端のネジ部１１ｄより挿入し、ネジ部１１ｃを第２の刃体１３のネジ孔１３ａに捩じ込んで螺着し、回転自在とする。ついで第１の刃体１２の矩形孔１２ａを枢軸１１の矩形部１１ｂに嵌挿して第１の刃体１２と枢軸１１を回転方向に一体化したのち、第１の刃体１２より突出する枢軸端のネジ部１１ｄにナット１４を捩じ込み止着する。
【００１５】
鋏を開いた図３の状態より、鋏を閉じる方向に第２の刃体１３を回動すると、第２の刃体１３は枢軸１１のネジ部１１ｃに捩じ込まれ、これにより第２の刃体１３が第１の刃体側に寄せられて両刃体１２及び１３の基部同士が接近し（図４）、互いに接触する両刃体１２及び１３の刃の接触圧が増加する。つまり頭髪を切る方向に鋏を閉じると、刃の接触圧が増加し、髪切断時の切れ味が向上するようになる。
【００１６】
図５に示す枢軸構造においては、枢軸１６が頭部１６ａとネジ部１６ｂを有し、第２の刃体１８が前記ネジ部１６ｂに捩じ込んで回動自在に螺着されると共に、第１の刃体１７が捩じ込んで枢軸先端部に回転不可に固着されている。第１の刃体１７とネジ部１６ｂを回転不可に固着するために第１の刃体１７をネジ部１６ｂに直接、或いは該ネジ部１６ｂにテープを巻き付けたのち、きつく捩じ込むようにしてもよいし、ネジ部に接着剤を塗布し、或いはネジ部１６ｂを設けないでネジ部のない枢軸１６先端部と第１の刃体１７を接着剤で接着して固着してもよい。
【００１７】
本実施形態においても鋏を閉じる方向に第２の刃体１８を回動すると、第１の刃体１７が第２の刃体側に寄せられて両刃体１７及び１８の基部同士が接近し、両刃体１７及び１８の刃の接触圧が増加する。
【００１８】
図６に示す枢軸構造においては、枢軸２１が前記実施形態の枢軸１１と同様、頭部２１ａと、横断面正方形の矩形部２１ｂと、頭部２１ａと矩形部２１ｂとの間に形成され、軸方向の長さが第２の刃体２４の厚みより長い大径のネジ部２１ｃと、矩形部２１ｂより突出する先端側の小径のネジ部２１ｄとよりなっている。
【００１９】
第１の刃体２２は、基部に前記矩形部２１ｂと同形同大の矩形孔２２ａを有し、該孔２２ａに前記枢軸２１の矩形部２１ｂが嵌挿されることによって枢軸２１と第１の刃体２２とが回転不可で一体となって回転するようになっている。そして枢軸２１の周りの第２の刃体２４との対向面には座ぐりにより、円形の凹溝２３が形成されている。
【００２０】
第２の刃体２４は、基部に形成されるネジ孔に軸方向の長さが第２の刃体２４の厚みより長く、かつフランジ２５ａを備えたブッシュ２５が捩じ込んで固着され、第２の刃体２４より突出するブッシュ先端がネジ部２１ｃと共に前記凹溝２３内に収まるようにしてある。そして上記ブッシュ２５には内周にネジが刻設され、前記枢軸２１のネジ部２１ｃが捩じ込んで回動自在に螺着されている。
【００２１】
上記ブッシュ２５の固着は、第２の刃体２４に直接、或いはブッシュ２５の外周にテープを巻き付けた状態で、きつく捩じ込んで第２の刃体２４がブッシュ２５に対し、固定状態となるようにされるが、ネジ部に接着剤を塗布し、或いはネジ部を設けないでブッシュ外周面と第２の刃体２４を接着剤で接着して固着してもよい。なお、ブッシュ２５を第２の刃体に捩じ込んで固着する場合には、図７に示すように、第２の刃体２７より突出するブッシュ２８にナット２９を捩じ込んでブッシュ２８の緩み止めをするのが望ましい。
【００２２】
前記ブッシュ２５は摩擦係数が小さく、給油を必要としない材質、例えばオイルレスベアリングに用いられる材質と同様の材質、例えば含油ポリアセタール、含油ポリオレフィン、含油ポリアミド、含油ポリエステル系樹脂、ＰＢＴ、四フッ化エチレン樹脂、ポリフェニレンサルファイド、ポリウレタン、フェノール樹脂等の樹脂または黄銅系、特殊鋼合金系、アルミ青銅系、鋳鉄系等の金属で形成されるか、或いは前記ネジ部２１ｃと螺合するネジ部の表層ないしネジ部が前記樹脂または金属で形成される。
【００２３】
図６に示す実施形態の枢軸構造は以上のように構成され、第２の刃体２４のネジ孔にブッシュ２５をフランジ２５ａが第２の刃体２４に当る限度まで捩じ込んで固着した状態において（この状態では、図示するようにブッシュ先端がネジ部２１ｃと共に第２の刃体２４より突出し、第１の刃体２２の凹溝２３内に収まるようになっている）、前述の実施形態と同様、枢軸２１を先端のネジ部２１ｄより挿入し、ネジ部２１ｃをブッシュ２５のネジ孔に捩じ込み回動自在とする。ついで第１の刃体２２の矩形孔２２ａを枢軸２１の矩形部２１ｂに嵌挿したのち、第１の刃体２２より突出する枢軸端のネジ部２１ｄにナット２６を捩じ込み螺着する。
【００２４】
本実施形態においても鋏を閉じる方向に第２の刃体２４を回動すると、第２の刃体２４が第１の刃体側に寄せられて両刃体２２及び２４の基部同士が接近し、両刃体２２及び２４の刃の接触圧が増加する。
【００２５】
前記各実施形態の枢軸構造はいずれも、枢軸１１、１６、２１が頭部１１ａ、１６ａ、２１ａを有し、枢軸１１、１６、２１は第２の刃体１３、１８、２４に外側（図の下側）から捩じ込んで挿入されるようになっているが、図７に示す実施形態の枢軸構造では、枢軸３１は頭部を有しないため、大径のネジ部３１ｃを外側からはもちろんのこと、第２の刃体２７の内側（図７に示す刃体２７の上側）からでもブッシュ２８に捩じ込むことができる。
【００２６】
図７に示す実施形態と同様、枢軸を第２の刃体の内外いずれの側からでも捩じ込むことができるようにするため、図８に示す実施形態では、枢軸として図６に示す実施形態の枢軸２１の頭部２１ａを有しない枢軸３３が用いられ、該枢軸３３の大径のネジ部３３ｃが第２の刃体２４の内外いずれかの側からブッシュ２５に捩じ込んで挿入され、枢軸３３の上記大径のネジ部端に頭部３４ａがブッシュ端面に当たるまで小ネジ３４が捩じ込まれて第２の刃体２４が抜け止めされる。
【００２７】
図９に示す実施形態の枢軸構造では、枢軸に図７に示す実施形態の枢軸３１が用いられ、ブッシュ３７端が第２の刃体２７と面一をなして、ブッシュ３７より突出するネジ部３１ｃにナット３８が捩じ込まれ、第２の刃体２７の抜け止めが行われる。
【００２８】
前記実施形態の枢軸構造は、図１に示すような理容院や美容院で用いられる理髪用鋏の枢軸構造に用いた例を示すものであるが、洋裁用の鋏その他一般の鋏の枢軸構造に用いることもできる。
【符号の説明】
【００２９】
１１、１６、２１、３１、３３・・枢軸
１１ｂ、２１ｂ・・矩形部
１１ｃ、１１ｄ、１６ｂ、２１ｃ、２１ｄ・・ネジ部
１２、１７、２２・・第１の刃体
１３、１８、２９、３８・・ナット
２５、２８、３７・・ブッシュ
３４・・小ネジ
【図１】
2012152488.tif 000003
【図２】
2012152488.tif 000004
【図３】
2012152488.tif 000005
【図４】
2012152488.tif 000006
【図５】
2012152488.tif 000007
【図６】
2012152488.tif 000008
【図７】
2012152488.tif 000009
【図８】
2012152488.tif 000010
【図９】
2012152488.tif 000011